(57)【特許請求の範囲】
【請求項１】
ＡＴＭ層または物理層において故障が発生したことを示す故障信号を受信したときに生成される警報表示セルの、発生周期を生成するタイマと、
このタイマから与えられた周期でカウントアップまたはカウントダウンを行うことにより、アドレス信号を順次発生させるアドレス発生カウンタと、
このアドレス発生カウンタから入力した前記アドレス信号を用いて前記警報表示セルを生成するセル生成部と、
コネクション設定の有効／無効に応じてセルを送信または廃棄する機能部に接続され、外部から当該機能部に入力される他の種類のセルを監視し、当該他の種類のセルが存在しない帯域に前記警報表示セルを挿入して当該機能部に送るセル挿入部と、
を有する警報発生手段を備えたことを特徴とするＡＴＭ装置。
【請求項２】
前記アドレス信号が、仮想パス識別子または仮想チャネル識別子であることを特徴とする請求項１に記載のＡＴＭ装置。
【請求項３】
前記機能部が、ユーザセル用の方路振分手段であることを特徴とする請求項１または２に記載のＡＴＭ装置。
【発明の詳細な説明】
【０００１】
【発明の属する技術分野】
この発明は、警報表示信号(AIS;Alarm Indication Signal) 発生機能を備えたＡＴＭ（Asynchronous Transfer Mode）装置に関するものである。
【０００２】
【従来の技術】
一般に、ＡＴＭ装置には、ＡＩＳ発生機能が設けられている。ＡＩＳ発生機能を設けることにより、物理層に故障が発生した際に、この故障状態を下位装置に伝達するための仮想パス(VP;Virtual Path) であるＶＰ−ＡＩＳを発生させることができる。また、仮想パスに故障が発生した場合には、この故障状態を下位装置に伝達するための仮想チャネル(VC;Virtual Chanel) であるＶＣ−ＡＩＳを発生させる。
【０００３】
図３（Ａ）および（Ｂ）は、従来のＡＴＭ装置の動作を説明するための概念図である。
【０００４】
図３（Ａ）および（Ｂ）に示したように、ＡＴＭ装置３００では、上流の装置から受信したセルが、下流の装置に送信される。
【０００５】
ここで、図３（Ａ）に示したように、物理層３１０で故障が発生したことをＡＴＭ装置３００が検出した場合には、ＡＴＭ層３２０のＶＰレベル３２１でＶＰ−ＡＩＳが生成され、下流の装置に送信される。
【０００６】
また、図３（Ｂ）に示したように、ＶＰレベル３２１で故障が発生したことをＡＴＭ装置３００が検出した場合には、ＡＴＭ層３２０のＶＣレベル３２２でＶＣ−ＡＩＳが生成され、下流の装置に送信される。
【０００７】
ＡＴＭ装置３００によって生成されたＶＰ−ＡＩＳは、他のＡＴＭ装置の各ＶＰのうち、故障の検出時にコネクションが有効であるものに対してのみ、送信される。このために、従来は、ＡＴＭ装置３００内の警報発生部に、ＶＰ−ＡＩＳのコネクション状態を示すテーブルが設けられていた。そして、この警報発生部が、コネクションの有効な送信先を順次判断して、これらの送信先ごとにＶＰ−ＡＩＳの生成・送信を行うこととしていた。
【０００８】
同様に、ＶＣ−ＡＩＳも、他のＡＴＭ装置の各ＶＣのうち、故障の検出時にコネクションが設定されているものに対してのみ、送信される。この場合も、各ＡＴＭ装置は、ＶＣ−ＡＩＳの送信先を示すテーブルも、備えていた。
【０００９】
【発明が解決しようとする課題】
上述したように、図３に示した装置では、ＶＰ−ＡＩＳ用およびＶＣ−ＡＩＳ用のコネクション設定テーブルが、それぞれ必要になる。このテーブルでは、設定が可能な送信先ごとに、ＶＰ−ＡＩＳの場合には８または１２ビット、ＶＣ−ＡＩＳの場合には１６ビットの記憶領域が必要となる。
【００１０】
このため、従来のＡＴＭ装置では、ＡＩＳ発生機能を設けようとすると、大規模なメモリが必要となってハードウエアの規模が大きくなってしまうという欠点が生じていた。
【００１１】
【課題を解決するための手段】
この発明に係るＡＴＭ装置は、ＡＴＭ層または物理層において故障が発生したことを示す故障信号を受信したときに生成される警報表示セルの、発生周期を生成するタイマと、このタイマから与えられた周期でカウントアップまたはカウントダウンを行うことにより、アドレス信号を順次発生させるアドレス発生カウンタと、このアドレス発生カウンタから入力したアドレス信号を用いて警報表示セルを生成するセル生成部と、コネクション設定の有効／無効に応じてセルを送信または廃棄する機能部に接続され、外部から当該機能部に入力される他の種類のセルを監視し、当該他の種類のセルが存在しない帯域に前記警報表示セルを挿入して当該機能部に送るセル挿入部とを有する警報発生手段を備える。
【００１２】
このような構成の装置では、タイマで生成された発生周期にしたがって警報表示セルが生成され、且つ、他の種類のセルが存在しない帯域を用いて警報表示セルが送信される。すなわち、この発明によれば、警報表示セルが送信される周期や、警報表示セルの送信に使用される帯域を制御することができる。
【００１３】
これにより、ネットワーク内を通信されるセルが警報表示セルのみになることを回避することができ、さらには、警報表示セルが他の種類のセルの通信に与える影響を抑えることができる。
【００１４】
【発明の実施の形態】
以下、この発明の実施の形態について、図面を用いて説明する。なお、図中、各構成成分の大きさ、形状および配置関係は、この発明が理解できる程度に概略的に示してあるにすぎず、また、以下に説明する数値的条件は単なる例示にすぎないことを理解されたい。
【００１５】
図１は、この実施の形態に係るＡＴＭ装置の全体構成を概略的に示すブロック図である。
【００１６】
同図において、インタフェース１０１は、外部からデータＡを受信する。
【００１７】
警報発生部１０２は、後述するように、データＡの入力を監視する。そして、故障信号Ｂを入力したときに、警報表示セル（ＶＰ−ＡＩＳセルまたはＶＣ−ＡＩＳセル）を発生させて、ユーザセルの無い帯域に挿入する。
【００１８】
方路振分部１０３は、ユーザセルを送信するための機能部である。この方路振分部１０３は、警報発生部１０２を介して、外部からユーザセルを入力する。そして、入力したユーザセルと送信先とのコネクションが有効か無効かを、コネクション設定テーブル１０４を用いて判断し、無効の場合はセルを廃棄する。一方、コネクションが有効の場合は、この送信先に応じてユーザセルのヘッダを書き換える。また、この実施の形態では、方路振分部１０３には、警報表示セルも入力される。したがって、方路振分部１０３は、警報表示セルに対しても、コネクション設定テーブル１０４を用いてコネクションの有効／無効を判断し、無効の場合はセルを廃棄し、有効の場合はセルのヘッダを書き換えることになる。
【００１９】
インタフェース１０５は、方路振分部１０３でヘッダを書き換えられたユーザセルおよび警報表示セルを、外部に送信する。
【００２０】
図２は、警報発生部１０２の内部構成を概略的に示すブロック図である。
【００２１】
同図において、タイマ２０１は、ＡＩＳの発生周期を生成する。
【００２２】
また、アドレス発生カウンタ２０２は、タイマ２０１で与えられた周期に基づいて、アドレス信号としてのＶＰＩ(Virtual Path Identifier) またはＶＣＩ(Virtual Chanel Identifier) を発生させる。
【００２３】
ＡＩＳセル生成回路２０３は、下位層から故障信号Ｂを入力したときに、上述のアドレス信号を用いて警報表示セルを生成する。
【００２４】
ＡＩＳセル挿入回路２０４は、データＡの入力を監視する。そして、ＡＩＳセル生成回路２０３から受け取った警報表示セルを、ユーザセルの無い帯域に挿入して、方路振分部１０３に送る。
【００２５】
次に、この実施の形態に係るＡＴＭ装置の動作について、物理層で故障が発生した場合を例に採って説明する。
【００２６】
物理層で故障が発生すると、故障個所からＡＩＳセル生成回路２０３に、故障信号Ｂが送信される。ＡＩＳセル生成回路２０３は、故障信号Ｂを受信すると、ＶＰＩを発生させるための命令を、アドレス発生カウンタ２０２に送る。
【００２７】
アドレス発生カウンタ２０２は、この命令を受信すると、タイマ２０１で与えられた周期に基づいてカウントアップ（またはカウントダウン）を開始し、各カウント値をアドレスとするＶＰＩを順次発生する。これらのＶＰＩは、順次、ＡＩＳセル生成回路２０３に送られる。ここでは、このアドレス発生カウンタ２０２により、０番地〜４０９５番地のＶＰＩがそれぞれ生成され、ＡＩＳセル生成回路２０３に送信されるものとする。
【００２８】
ＡＩＳセル生成回路２０３は、アドレス発生カウンタ２０２から受信した各ＶＰＩを用いて、ＶＰ−ＡＩＳセルを順次生成する。
【００２９】
そして、上述したように、ＡＩＳセル挿入回路２０４が、ＶＰ−ＡＩＳセルを、ユーザセルの無い帯域に挿入して、方路振分部１０３に送信する。
【００３０】
方路振分部１０３は、コネクション設定テーブル１０４を用いて各セルの送信先を判断し、この送信先に応じて各セルのヘッダを書き換えて、インタフェース１０５に送る。ここで、方路振分部１０３は、コネクションが設定されていないセルについては、無効なセルであると判断して廃棄する。したがって、インタフェース１０５からは、コネクションが有効なＶＰ−ＡＩＳセルのみが送信先に送られる。例えば、有効なコネクションに対応するＶＰＩが１０番地、２０番地および３０番地のみであるとすると、これらの番地のＶＰＩが格納されたＶＰ−ＡＩＳセルのみがインタフェース１０５から送信され、他のＶＰ−ＡＩＳセル（すなわち、０〜９番地、１１〜１９番地、２１〜２９番地および３１〜４０９５番地のＶＰＩが挿入されたセル）は全て廃棄される。
【００３１】
その後、コネクションが有効なＶＰ−ＡＩＳセルが、インタフェース１０５から下流の装置に送信される。
【００３２】
なお、ＡＴＭ層のＶＰレベルで故障が発生した場合も、物理層の場合と同様にして、方路振分部１０３でコネクションが有効であると判断されたＶＣ−ＡＩＳセルのみが送信される。
【００３３】
このように、この実施の形態では、故障時に、警報発生部１０２が、すべての番地に対する警報表示セルを生成して、ユーザセル用の機能部である方路振分部１０３に送信することとした。これにより、送信する必要のない警報表示セルは方路振分部１０３で廃棄されるので、警報発生部１０２がコネクションの有効／無効の判断をする必要がない。したがって、この実施の形態では、コネクション設定テーブルを設ける必要がないので、従来よりもハードウエアの規模を小さくすることができる。
【００３４】
この実施の形態では、ユーザセル用方路振分部１０３のコネクション設定テーブル１０４を利用することとしたが、他の機能部のコネクション設定テーブルを利用してもよいことは、もちろんである。
【００３５】
【発明の効果】
以上詳細に説明したように、この発明に係るＡＴＭ装置によれば、警報表示信号のためのコネクション設定テーブルを不要にすることができ、したがって、ハードウエアの規模を小さくすることができる。
【図面の簡単な説明】
【図１】実施の形態に係るＡＴＭ装置の全体構成を概略的に示すブロック図である。
【図２】図１に示した警報発生部の内部構成を概略的に示すブロック図である。
【図３】（Ａ），（Ｂ）ともに、従来のＡＴＭ装置の動作を説明するための概念図である。
【符号の説明】
１０１，１０５  インタフェース
１０２  警報発生部
１０３  方路振分部
１０４  コネクション設定テーブル
２０１  タイマ
２０２  アドレス発生カウンタ
２０３  ＡＩＳセル生成回路
２０４  ＡＩＳセル挿入回路
【図１】
0003640551.tif 000002
【図２】
0003640551.tif 000003
【図３】
0003640551.tif 000004